(57)【特許請求の範囲】
【請求項１】
天井から吊り杆により吊持されるパネル本体の上面に沿うように、各々前後方向に開口するチャンネル状のフック取付部と、両フック取付部を連設する連結部とにより一体的に構成されてなるレール部材を、前記連結部を挿通するボルトにより取付けるとともに、前記フック取付部の左右方向の任意の位置に、展示物を吊持可能なフック部材を取付け可能としたことを特徴とする展示パネル。
【請求項２】
展示パネルが、天井に設けられた天井レールに沿って移動可能な走行装置より垂下された吊り杆により吊支されている請求項１に記載の展示パネル。
【発明の詳細な説明】
【０００１】
【発明の属する技術分野】
本発明は、パネルに展示物を吊持可能なフックを取付けて、パネル本体の壁面に展示物を展示可能とした展示パネルに関する。
【０００２】
【従来の技術】
従来、この種の展示パネルでは、パネル本体の壁面の所定箇所に複数の雌ネジを埋設しておき、該雌ネジにフック後部の雄ネジを螺合してフックを取付け、このフックに展示物を吊持することで、パネル本体の壁面に展示物を展示可能としたものが知られている。
【０００３】
【発明が解決しようとする課題】
しかしながら、このような展示パネルでは、パネル本体の壁面へのフック取付位置が、パネル本体の壁面に埋設された雌ネジの位置に制限されるため、展示物の展示位置が自ずと制限されてしまう。これを避けるためには、パネル本体の壁面に多くの雌ネジを埋設しておけばよいが、この場合、展示パネルが高価なものとなってしまうばかりか、展示物に覆われない雌ネジがパネル本体の壁面に露呈し、見栄えが悪くなるといった問題点があった。
【０００４】
本発明は、このような問題点に着目してなされたもので、展示物をパネルの所望の位置に容易に、かつ見栄えよく吊支することが可能な展示パネルを提供することを目的としている。
【０００５】
【課題を解決するための手段】
上記課題を解決するために、本発明の展示パネルは、天井から吊り杆により吊持されるパネル本体の上面に沿うように、各々前後方向に開口するチャンネル状のフック取付部と、両フック取付部を連設する連結部とにより一体的に構成されてなるレール部材を、前記連結部を挿通するボルトにより取付けるとともに、前記フック取付部の左右方向の任意の位置に、展示物を吊持可能なフック部材を取付け可能としたことを特徴としている。
この特徴によれば、展示物を吊持可能なフック部材を、フック取付部の左右方向の任意の位置に容易に取付けることが出来るため、展示物をパネルの所望の位置に見栄えよく吊持することが出来るばかりか、レール部材をパネルの上面に取付けるだけで、パネルの前後にフック取付部を設けることが出来るため、フック取付部のパネルへの取付が容易になるとともに、パネルへの取付が連結部で行なわれることでフック取付部に負荷が加わり、変形したりすること等がなくなる。
【０００６】
本発明の展示パネルは、展示パネルが、天井に設けられた天井レールに沿って移動可能な走行装置より垂下された吊り杆により吊支されていることが好ましい。
このようにすることで、展示内容に応じてパネル自体の位置変更を容易に行うことができるため、展示空間の多用途の使用が可能となる。
【０００８】
【発明の実施の形態】
以下、本発明の実施形態を図面に基づいて説明していくと、まず図１における１は本発明の実施形態としての展示パネルであって、天井２に敷設された天井レール３内を移動可能な走行装置４より垂下される吊り杆５により吊支されている。６は展示パネル１の前面及び後面（図示略）に、ワイヤ７により吊支される展示物であり、ワイヤ７の上端は、展示パネル１上端に設けられるピクチャーレール８に対して左右方向に移動可能に取付けられるフック部材９に吊支されている。
【０００９】
走行装置４は、図２、図３に示されるように、略方形な水平板１０と、該水平板１０の四隅よりそれぞれ下方に垂設される軸１１をもって枢設される４つのローラ１２と、上端に係止部材１３を有し、係止部材１３下面より水平板１０の略中央位置に穿設される挿通孔１０ａ内を挿通し、展示パネル１内まで垂下される吊り杆５とから構成される。前記ローラ１２は、下向き開口するチャンネル状の天井レール３の下板３ａ上面にそれぞれ摺接されており、天井レール３内を円滑に移動できるようになっている。
【００１０】
吊り杆５の下半部外周面には雄ネジ部が形成されており、該雄ネジ部には、内周面に雌ネジ部が形成されたナット１４及び外周面の一部に段部１５の形成された筒状部材１６が螺入されている。この筒状部材１６の下半部は、展示パネル１のフレーム枠１７の所定箇所に形成される貫通孔１８内に嵌挿されている。なお、このフレーム枠１７の両面には展示パネル１の前後壁面を構成するパネル１ａ、１ａが貼着されている。
【００１１】
ピクチャーレール８は、展示パネル１の前後方向に開口するチャンネル状のフック取付部としてのレール部８ａ、８ａと、これらレール部８ａ、８ａ間を連結する連結部８ｂとが一体成形されてなるものであり、展示パネル１の上面を覆うように左右方向に渡って設けられている。なお、連結部８ｂの略中央位置には前記筒状部材１６の挿通用の孔１９が穿設されている。
【００１２】
前記ピクチャーレール８の前後両レール部８ａ、８ａ間に形成される凹溝内には、略中央位置に筒状部材１６の下半部１６ａを挿通可能不可とする孔２０を有する、上向き開口する断面略コ字状の取付片２１が嵌合されている。取付片２１の水平片２１ａの左右端部には、図３に示される長寸のボルト２２挿通用の孔２３が形成されている。
【００１３】
ボルト２２の下端は、孔２３及びレール枠１７に形成された貫通孔２４を挿通してレール枠１７の下端まで延設され、その下端には、左右に配設されたボルト２２を連結する連結板２５を介してナット２６がそれぞれ螺入されている。なお、２７は筒状部材１６の挿通用の孔３０を有する支持片であり、取付片２１内に嵌合され、前記筒状部材１６の振れを規制出来るようになっている。
【００１４】
このように構成されるピクチャーレール８は、ボルト２２に螺入されたナット２６を締め付けることで、取付片２１によりフレーム枠１７（展示パネル１）の上面に強く押圧されるようになっている。また、取付片２１は左右方向に所定長さ有するため、ボルト２２の締め付け力が局所に集中することなく、ピクチャーレール８の所定範囲全体に渡って均一に懸かるようになっているとともに、吊り杆５は段部１５をもってこの取付片２１の孔２０周縁下面に対して係止されるため、ピクチャーレール８の局所に大きな負荷がかかり、変形すること等がない。
【００１５】
フック部材９は、展示パネル１上端左右方向に延びるレール部８ａ内を移動可能に嵌合される略方形の摺動部材２８ａを有する取付部２８と、ワイヤ７等の吊支用のフック２９とからなり、レール部８ａの左右側端いずれかの開口より摺動部材２８ａを挿入させることでレール部８ａ内に移動可能に取付けることが出来るようになっている。取付けられたフック部材９は、嵌合部材２８ａがレール部８ａの先端よりそれぞれ上下方向に屈曲される保持片８ｂにより係止されることで、前方への逸脱が規制される。なお、このフック部材９の形状は任意であり、種々に変形されたものを使用してもよい。
【００１６】
このように本発明実施形態における展示パネル１上面左右方向に設けられるピクチャーレール８には、ワイヤ７を介してパネル１前後面の展示物６を吊支するフック部材９を、左右方向に移動可能に設けることが出来るため、展示物６を容易に所望の箇所に設けることが出来る。
【００１７】
また、ピクチャーレール８は展示パネル１の前後面にそれぞれ開口するレール部８ａを有し、それらが連結部８ｂを介して一体的に形成されていることで、展示パネル１の前後面にレール部８ａを容易に設けることが出来る。さらに、ピクチャーレール８の展示パネル１への取付は連結部８ｂにて行なわれるため、レール部８ａに負荷が加わり、変形するといったことがなくなる。
【００１８】
以上、本発明の実施形態を図面により説明してきたが、具体的な構成はこれら実施形態に限られるものではなく、本発明の要旨を逸脱しない範囲における変更や追加があっても本発明に含まれる。
【００１９】
例えば、本実施形態のピクチャーレール８にはレール部８ａがそれぞれ展示パネル１の前後に形成されていたが、いずれか一方のみでもよい。また、レール部８ａおよびフック部材９の形状等は任意である。
【００２０】
【発明の効果】
本発明は次の効果を奏する。
【００２１】
（ａ）請求項１の発明によれば、展示物を吊持可能なフック部材を、フック取付部の左右方向の任意の位置に容易に取付けることが出来るため、展示物をパネルの所望の位置に見栄えよく吊持することが出来るばかりか、レール部材をパネルの上面に取付けるだけで、パネルの前後にフック取付部を設けることが出来るため、フック取付部のパネルへの取付が容易になるとともに、パネルへの取付が連結部で行なわれることでフック取付部に負荷が加わり、変形したりすること等がなくなる。
【００２２】
（ｂ）請求項２の発明によれば、展示内容に応じてパネル自体の位置変更を容易に行うことができるため、展示空間の多用途の使用が可能となる。
【００２４】
【図面の簡単な説明】
【図１】本発明の実施形態としての展示パネルを示す正面図である。
【図２】図１のＡ−Ａ断面図である。
【図３】図２のＢ−Ｂ断面図である。
【符号の説明】
１            展示パネル
２            天井
３            天井レール
４            走行装置
５            吊り杆
６            展示物
７            ワイヤ
８            ピクチャーレール（レール部材）
８ａ          レール部（フック取付部）
８ｂ          連結部
９            フック部材
１０            水平板
１０ａ          挿通孔
１１            軸
１２            ローラ
１３            係止部材
１４、２６      ナット
１５            段部
１６            筒状部材
１６ａ          下半部
１７            フレーム枠
１８、２４      貫通孔
１９、２０、２３、３０  孔
２１            取付片
２１ａ          水平片
２２            ボルト
２５            連結板
２７            支持片
２８            取付部
２８ａ          摺動部材
２９            フック
【図１】
0003923125.tif 000002
【図２】
0003923125.tif 000003
【図３】
0003923125.tif 000004